(57)【要約】【課題】一般に、波長多重光通信伝送の伝送特性が、主信号に係る光信号を伝送する波長帯λ１〜λｎの短波長側又は長波長側のいずれか一方の端で劣化することがよくあるため、その監視制御信号に係る光信号（波長λｓの光信号）が劣化して、中継器３が正常に監視制御信号に係る光信号を受信することができないことがあるなどの課題があった。【解決手段】主信号に係る光信号を伝送する波長帯λ１〜λｎの短波長側と長波長側の双方に監視制御信号に係る光信号（波長λｓ１，λｓ２の光信号）が重畳されている場合、その監視制御信号に係る双方の光信号（波長λｓ１，λｓ２の光信号）を抽出して合波する。【選択図】　　　　図１
2004088472.tif 000002
【特許請求の範囲】
【請求項１】
送受信端局から主信号と監視制御信号が含まれている光信号を受信すると、その光信号から監視制御信号に係る光信号を抽出する光信号抽出手段と、上記光信号抽出手段により抽出された光信号を電気信号に変換し、その電気信号である監視制御信号にしたがって中継器の状態監視と当該中継器に対する制御を実施する監視制御手段と、上記監視制御手段の監視制御結果を示す応答信号を光信号に変換し、その光信号を上記送受信端局に伝送する応答手段とを備えた中継器の監視制御装置において、上記光信号抽出手段は、その主信号に係る光信号を伝送する波長帯の短波長側と長波長側の双方に監視制御信号に係る光信号が重畳されている場合、その監視制御信号に係る双方の光信号を抽出して合波することを特徴とする中継器の監視制御装置。
【請求項２】
光信号抽出手段は、送受信端局から光信号を受信し、その光信号を分波する分波器と、上記分波器により分波された光信号から監視制御信号に係る一方の光信号を分離する第１の分離器と、上記第１の分離器により分離された一方の光信号以外の光信号から監視制御信号に係る他方の光信号を分離する第２の分離器と、上記第１の分離器により分離された一方の光信号と上記第２の分離器により分離された他方の光信号を合波する合波器とから構成されていることを特徴とする請求項１記載の中継器の監視制御装置。
【請求項３】
光信号抽出手段は、送受信端局から光信号を受信し、その光信号を分波する第１の分波器と、上記第１の分波器により分波された光信号を分波する第２の分波器と、上記第１の分波器により分波された光信号から監視制御信号に係る一方の光信号を分離する第１の分離器と、上記第２の分波器により分波された光信号から監視制御信号に係る他方の光信号を分離する第２の分離器と、上記第１の分離器により分離された一方の光信号と上記第２の分離器により分離された他方の光信号を合波する合波器とから構成されていることを特徴とする請求項１記載の中継器の監視制御装置。
【請求項４】
第１の送受信端局から主信号と監視制御信号が含まれている光信号を受信すると、その光信号から監視制御信号に係る光信号を抽出する第１の光信号抽出手段と、第２の送受信端局から主信号と監視制御信号が含まれている光信号を受信すると、その光信号から監視制御信号に係る光信号を抽出する第２の光信号抽出手段と、上記第１又は第２の光信号抽出手段により抽出された光信号を電気信号に変換し、その電気信号である監視制御信号にしたがって中継器の状態監視と当該中継器に対する制御を実施する監視制御手段と、上記監視制御手段の監視制御結果を示す応答信号を光信号に変換し、その光信号を上記第１及び第２の送受信端局に伝送する応答手段とを備えた中継器の監視制御装置において、上記第１の光信号抽出手段は、その主信号に係る光信号を伝送する波長帯の短波長側に重畳されている監視制御信号に係る光信号を抽出し、上記第２の光信号抽出手段は、その主信号に係る光信号を伝送する波長帯の長波長側に重畳されている監視制御信号に係る光信号を抽出することを特徴とする中継器の監視制御装置。
【請求項５】
第１の光信号抽出手段は、第１の送受信端局から光信号を受信し、その光信号を分波する第１の分波器と、上記第１の分波器により分波された光信号から監視制御信号に係る光信号を分離する第１の分離器とから構成され、第２の光信号抽出手段は、第２の送受信端局から光信号を受信し、その光信号を分波する第２の分波器と、上記第２の分波器により分波された光信号から監視制御信号に係る光信号を分離する第２の分離器とから構成されていることを特徴とする請求項４記載の中継器の監視制御装置。
【請求項６】
主信号と監視制御信号が含まれている光信号を送信する一方、中継器から応答信号に係る光信号を受信する送受信端局と、上記送受信端局から光信号を受信すると、その光信号から監視制御信号に係る光信号を抽出して、その光信号を電気信号に変換し、その電気信号である監視制御信号にしたがって上記中継器の状態監視と当該中継器に対する制御を実施する一方、その監視制御結果を示す応答信号を光信号に変換し、その光信号を上記送受信端局に伝送する中継器の監視制御装置とを備えた光通信システムにおいて、上記送受信端局は、その主信号に係る光信号を伝送する波長帯の短波長側と長波長側の双方に監視制御信号に係る光信号を重畳し、上記中継器の監視制御装置は、短波長側と長波長側に重畳されている監視制御信号に係る双方の光信号を抽出して合波することを特徴とする光通信システム。
【請求項７】
主信号と監視制御信号が含まれている光信号を送信する一方、上記中継器から応答信号に係る光信号を受信する第１及び第２の送受信端局と、上記第１の送受信端局から光信号を受信すると、その光信号から監視制御信号に係る光信号を抽出して、その光信号を電気信号に変換し、上記第２の送受信端局から光信号を受信すると、その光信号から監視制御信号に係る光信号を抽出して、その光信号を電気信号に変換し、双方の電気信号である監視制御信号にしたがって上記中継器の状態監視と当該中継器に対する制御を実施する一方、その監視制御結果を示す応答信号を光信号に変換し、その光信号を上記第１及び第２の送受信端局に伝送する中継器の監視制御装置とを備えた光通信システムにおいて、上記第１の送受信端局は、その主信号に係る光信号を伝送する波長帯の短波長側に監視制御信号に係る光信号を重畳する一方、上記第２の送受信端局は、その主信号に係る光信号を伝送する波長帯の長波長側に監視制御信号に係る光信号を重畳し、上記中継器の監視制御装置は、短波長側に重畳されている監視制御信号に係る光信号を抽出するとともに、長波長側に重畳されている監視制御信号に係る光信号を抽出することを特徴とする光通信システム。
【発明の詳細な説明】
【０００１】
【発明の属する技術分野】
この発明は、上り／下り２系統の双方向通信を行う波長多重光通信線路に配置される中継器を監視制御する中継器の監視制御装置及び光通信システムに関するものである。
【０００２】
【従来の技術】
図８は従来の光通信システムを示す構成図であり、図において、１は光信号を上り側伝送路に出力する一方、下り側伝送路から光信号を入力する送受信端局、２は光信号を下り側伝送路に出力する一方、上り側伝送路から光信号を入力する送受信端局、３は送受信端局１から送信された光信号を増幅して送受信端局２に送信する一方、送受信端局２から送信された光信号を増幅して送受信端局１に送信する中継器、４は中継器３を監視制御する監視制御装置である。
なお、送受信端局１，２が送信する光信号には、主信号と監視制御信号が含まれており、その主信号に係る光信号の波長帯がλ１〜λｎ、その監視制御信号に係る光信号の波長がλｓである。波長λｓは波長帯λ１〜λｎの短波長側又は長波長側の波長である（λｓ≒λ１、または、λｓ≒λｎ）。
【０００３】
１１は上り側伝送路を伝播する光信号を増幅する光ファイバ増幅器、１２は上り側伝送路を伝播する光信号を分波する光合分波装置、１３は光合分波装置１２により分波された光信号から監視制御信号に係る光信号（波長λｓの光信号）を抽出する波長選択型光合分波装置、１４は波長選択型光合分波装置１３により抽出された光信号を電気信号に変換する光／電気変換装置、１５は下り側伝送路を伝播する光信号を増幅する光ファイバ増幅器、１６は下り側伝送路を伝播する光信号を分波する光合分波装置、１７は光合分波装置１６により分波された光信号から監視制御信号に係る光信号（波長λｓの光信号）を抽出する波長選択型光合分波装置、１８は波長選択型光合分波装置１７により抽出された光信号を電気信号に変換する光／電気変換装置である。
【０００４】
１９は光／電気変換装置１４又は光／電気変換装置１８から電気信号に変換された監視制御信号を受けると、その監視制御信号にしたがって中継器３の状態監視と中継器３に対する制御を実施する監視制御回路、２０は監視制御回路１９の監視制御結果を示す応答信号を励起ＬＤ光源部２１に対する励起ＬＤバイアス電流に重畳する励起ＬＤ駆動回路、２１は励起ＬＤ駆動回路２０から出力される励起ＬＤバイアス電流にしたがって光ファイバ増幅器１１，１５の利得及び出力光を制御することにより、伝送路中の主信号に応答信号を重畳させる励起ＬＤ光源部である。
【０００５】
次に動作について説明する。
例えば、送受信端局１が中継器３の状態監視や制御を行う場合、送受信端局２に伝送する主信号を波長帯λ１〜λｎの光信号に変換するとともに、監視制御装置４に伝送する監視制御信号を波長λｓの光信号に変換し、双方の光信号を波長多重して上り側伝送路に出力する。
ただし、波長λｓは、上述したように、波長帯λ１〜λｎの短波長側又は長波長側の波長である（λｓ≒λ１、または、λｓ≒λｎ）。
【０００６】
中継器３の光ファイバ増幅器１１は、送受信端局１が光信号を上り側伝送路に出力すると、その伝送路中で減衰した光信号を増幅して光合分波装置１２に出力する。
光合分波装置１２は、光ファイバ増幅器１１から増幅後の光信号を受けると、その光信号を分波する。即ち、大部分の光信号は送受信端局２に送信するが、一部の光信号は波長選択型光合分波装置１３に出力する。ただし、どちらの光信号にも主信号に係る光信号（波長帯λ１〜λｎの光信号）と監視制御信号に係る光信号（波長λｓの光信号）が含まれている。
【０００７】
波長選択型光合分波装置１３は、光合分波装置１２により分波された光信号を受けると、その光信号に含まれている主信号に係る光信号（波長帯λ１〜λｎの光信号）と監視制御信号に係る光信号（波長λｓの光信号）を分離することにより、その監視制御信号に係る光信号（波長λｓの光信号）を抽出する。
光／電気変換装置１４は、波長選択型光合分波装置１３が監視制御信号に係る光信号（波長λｓの光信号）を抽出すると、その光信号を電気信号に変換して監視制御回路１９に出力する。
【０００８】
監視制御回路１９は、光／電気変換装置１４から電気信号に変換された監視制御信号を受けると、その監視制御信号にしたがって中継器３の状態監視と中継器３に対する制御を実施する。
監視制御回路１９は、例えば、光ファイバ増幅器１１が上り側伝送路から入力する光信号の強度や、光合分波装置１２が上り側伝送路に出力する光信号の強度等を監視する。
また、監視制御回路１９は、例えば、内部回路の状態を制御して、応答信号の強度等を制御する。
【０００９】
励起ＬＤ駆動回路２０は、監視制御回路１９の監視制御結果を入力し、その監視制御結果を示す応答信号を励起ＬＤ光源部２１に対する励起ＬＤバイアス電流に重畳する。
励起ＬＤ光源部２１は、励起ＬＤ駆動回路２０から出力される励起ＬＤバイアス電流にしたがって光ファイバ増幅器１１，１５の利得及び出力光を制御することにより、上り側伝送路及び下り側伝送路中の主信号に応答信号を重畳させる。
これにより、送受信端局１には、送受信端局２から送信された主信号と一緒に応答信号が伝送される。なお、送受信端局２にも送受信端局１から送信された主信号と一緒に応答信号が伝送される。
よって、送受信端局１は、その応答信号を解析することにより、中継器３の状態を把握することができる。
【００１０】
【発明が解決しようとする課題】
従来の光通信システムは以上のように構成されているので、送受信端局１が主信号に係る光信号を伝送する波長帯λ１〜λｎの短波長側又は長波長側に監視制御信号に係る光信号（波長λｓの光信号）を重畳して伝送するが、一般に、波長多重光通信伝送の伝送特性が、その波長帯λ１〜λｎの短波長側又は長波長側のいずれか一方の端で劣化することがよくあるため、その監視制御信号に係る光信号（波長λｓの光信号）が劣化して、中継器３が正常に監視制御信号に係る光信号を受信することができないことがあるなどの課題があった。
【００１１】
この発明は上記のような課題を解決するためになされたもので、主信号に係る光信号を伝送する波長帯の短波長側又は長波長側のいずれか一方の端で伝送特性が劣化しても、中継器が正常に監視制御信号に係る光信号を受信することができる中継器の監視制御装置及び光通信システムを得ることを目的とする。
【００１２】
【課題を解決するための手段】
この発明に係る中継器の監視制御装置は、主信号に係る光信号を伝送する波長帯の短波長側と長波長側の双方に監視制御信号に係る光信号が重畳されている場合、その監視制御信号に係る双方の光信号を抽出して合波するようにしたものである。
【００１３】
この発明に係る中継器の監視制御装置は、送受信端局から光信号を受信し、その光信号を分波する分波器と、その分波器により分波された光信号から監視制御信号に係る一方の光信号を分離する第１の分離器と、その第１の分離器により分離された一方の光信号以外の光信号から監視制御信号に係る他方の光信号を分離する第２の分離器と、その第１の分離器により分離された一方の光信号と第２の分離器により分離された他方の光信号を合波する合波器とから光信号抽出手段を構成するようにしたものである。
【００１４】
この発明に係る中継器の監視制御装置は、送受信端局から光信号を受信し、その光信号を分波する第１の分波器と、その第１の分波器により分波された光信号を分波する第２の分波器と、その第１の分波器により分波された光信号から監視制御信号に係る一方の光信号を分離する第１の分離器と、その第２の分波器により分波された光信号から監視制御信号に係る他方の光信号を分離する第２の分離器と、その第１の分離器により分離された一方の光信号と第２の分離器により分離された他方の光信号を合波する合波器とから光信号抽出手段を構成するようにしたものである。
【００１５】
この発明に係る中継器の監視制御装置は、第１の光信号抽出手段が主信号に係る光信号を伝送する波長帯の短波長側に重畳されている監視制御信号に係る光信号を抽出し、第２の光信号抽出手段が主信号に係る光信号を伝送する波長帯の長波長側に重畳されている監視制御信号に係る光信号を抽出するようにしたものである。
【００１６】
この発明に係る中継器の監視制御装置は、第１の送受信端局から光信号を受信し、その光信号を分波する第１の分波器と、その第１の分波器により分波された光信号から監視制御信号に係る光信号を分離する第１の分離器とから第１の光信号抽出手段を構成し、第２の送受信端局から光信号を受信し、その光信号を分波する第２の分波器と、その第２の分波器により分波された光信号から監視制御信号に係る光信号を分離する第２の分離器とから第２の光信号抽出手段を構成するようにしたものである。
【００１７】
この発明に係る光通信システムは、送受信端局が主信号に係る光信号を伝送する波長帯の短波長側と長波長側の双方に監視制御信号に係る光信号を重畳し、中継器の監視制御装置が短波長側と長波長側に重畳されている監視制御信号に係る双方の光信号を抽出して合波するようにしたものである。
【００１８】
この発明に係る光通信システムは、第１の送受信端局が主信号に係る光信号を伝送する波長帯の短波長側に監視制御信号に係る光信号を重畳する一方、第２の送受信端局が主信号に係る光信号を伝送する波長帯の長波長側に監視制御信号に係る光信号を重畳し、中継器の監視制御装置が短波長側に重畳されている監視制御信号に係る光信号を抽出するとともに、長波長側に重畳されている監視制御信号に係る光信号を抽出するようにしたものである。
【００１９】
【発明の実施の形態】
以下、この発明の実施の一形態を説明する。
実施の形態１．
図１はこの発明の実施の形態１による光通信システムを示す構成図であり、図において、３１は光信号を上り側伝送路に出力する一方、下り側伝送路から光信号を入力する送受信端局、３２は光信号を下り側伝送路に出力する一方、上り側伝送路から光信号を入力する送受信端局、３３は送受信端局３１から送信された光信号を増幅して送受信端局３２に送信する一方、送受信端局３２から送信された光信号を増幅して送受信端局３１に送信する中継器、３４は中継器３３を監視制御する監視制御装置である。
【００２０】
なお、送受信端局３１，３２が送信する光信号には、主信号と監視制御信号が含まれており、その主信号に係る光信号の波長帯がλ１〜λｎ、その監視制御信号に係る光信号の波長がλｓ１，λｓ２である。波長λｓ１は波長帯λ１〜λｎの短波長側の波長であり（λｓ１≒λ１）、波長λｓ２は波長帯λ１〜λｎの長波長側の波長である（λｓ２≒λｎ）。
【００２１】
４１は上り側伝送路を伝播する光信号を増幅する光ファイバ増幅器、４２は上り側伝送路を伝播する光信号を分波する光合分波装置（分波器）、４３は光合分波装置４２により分波された光信号から監視制御信号に係る光信号（波長λｓ１の光信号）を分離する波長選択型光合分波装置（第１の分離器）、４４は波長選択型光合分波装置４３により分離された監視制御信号に係る光信号（波長λｓ１の光信号）以外の光信号（主信号に係る光信号（波長帯λ１〜λｎの光信号）、監視制御信号に係る光信号（波長λｓ２の光信号））から監視制御信号に係る光信号（波長λｓ２の光信号）を分離する波長選択型光合分波装置（第２の分離器）、４５は波長選択型光合分波装置４３により分離された監視制御信号に係る光信号（波長λｓ１の光信号）と波長選択型光合分波装置４４により分離された監視制御信号に係る光信号（波長λｓ２の光信号）を合波する波長選択型光合分波装置（合波器）である。
【００２２】
４７は下り側伝送路を伝播する光信号を増幅する光ファイバ増幅器、４８は下り側伝送路を伝播する光信号を分波する光合分波装置（分波器）、４９は光合分波装置４８により分波された光信号から監視制御信号に係る光信号（波長λｓ１の光信号）を分離する波長選択型光合分波装置（第１の分離器）、５０は波長選択型光合分波装置４９により分離された監視制御信号に係る光信号（波長λｓ１の光信号）以外の光信号（主信号に係る光信号（波長帯λ１〜λｎの光信号）、監視制御信号に係る光信号（波長λｓ２の光信号））から監視制御信号に係る光信号（波長λｓ２の光信号）を分離する波長選択型光合分波装置（第２の分離器）、５１は波長選択型光合分波装置４９により分離された監視制御信号に係る光信号（波長λｓ１の光信号）と波長選択型光合分波装置５０により分離された監視制御信号に係る光信号（波長λｓ２の光信号）を合波する波長選択型光合分波装置（合波器）である。
なお、光合分波装置４２，４８及び波長選択型光合分波装置４３〜４５，４９〜５１から光信号抽出手段が構成されている。
【００２３】
４６は波長選択型光合分波装置４５により合波された監視制御信号に係る光信号を電気信号に変換する光／電気変換装置、５２は波長選択型光合分波装置５１により合波された監視制御信号に係る光信号を電気信号に変換する光／電気変換装置、５３は光／電気変換装置４６又は光／電気変換装置５２から電気信号に変換された監視制御信号を受けると、その監視制御信号にしたがって中継器３３の状態監視と中継器３３に対する制御を実施する監視制御回路である。
なお、光／電気変換装置４６，５２及び監視制御回路５３から監視制御手段が構成されている。
【００２４】
５４は監視制御回路５３の監視制御結果を示す応答信号を励起ＬＤ光源部５５に対する励起ＬＤバイアス電流に重畳する励起ＬＤ駆動回路、５５は励起ＬＤ駆動回路５４から出力される励起ＬＤバイアス電流にしたがって光ファイバ増幅器４１，４７の利得及び出力光を制御することにより、伝送路中の主信号に応答信号を重畳させる励起ＬＤ光源部である。
なお、励起ＬＤ駆動回路５４及び励起ＬＤ光源部５５から応答手段が構成されている。
【００２５】
次に動作について説明する。
例えば、送受信端局３１が中継器３３の状態監視や制御を行う場合、送受信端局３２に伝送する主信号を波長帯λ１〜λｎの光信号に変換するとともに、監視制御装置３４に伝送する監視制御信号を波長λｓ１の光信号と波長λｓ２の光信号とに変換し、これらの光信号を波長多重して上り側伝送路に出力する。
ただし、波長λｓ１は、上述したように、波長帯λ１〜λｎの短波長側の波長であり（λｓ１≒λ１）、波長λｓ２は、波長帯λ１〜λｎの長波長側の波長である（λｓ２≒λｎ）。
【００２６】
中継器３３の光ファイバ増幅器４１は、送受信端局３１が光信号を上り側伝送路に出力すると、その伝送路中で減衰した光信号を増幅して光合分波装置４２に出力する。
光合分波装置４２は、光ファイバ増幅器４１から増幅後の光信号を受けると、その光信号を分波する。即ち、大部分の光信号は送受信端局３２に送信するが、一部の光信号は波長選択型光合分波装置４３に出力する。ただし、どちらの光信号にも主信号に係る光信号（波長帯λ１〜λｎの光信号）と監視制御信号に係る光信号（波長λｓ１，λｓ２の光信号）が含まれている。
【００２７】
波長選択型光合分波装置４３は、光合分波装置４２により分波された光信号を受けると、その光信号に含まれている主信号に係る光信号（波長帯λ１〜λｎの光信号）と監視制御信号に係る光信号（波長λｓ１，λｓ２の光信号）から、その監視制御信号に係る光信号（波長λｓ１の光信号）を分離して波長選択型光合分波装置４５に出力する。
波長選択型光合分波装置４４は、波長選択型光合分波装置４３により分離された監視制御信号に係る光信号（波長λｓ１の光信号）以外の光信号（主信号に係る光信号（波長帯λ１〜λｎの光信号）、監視制御信号に係る光信号（波長λｓ２の光信号））から監視制御信号に係る光信号（波長λｓ２の光信号）を分離して波長選択型光合分波装置４５に出力する。
【００２８】
波長選択型光合分波装置４５は、波長選択型光合分波装置４３により分離された監視制御信号に係る光信号（波長λｓ１の光信号）と波長選択型光合分波装置４４により分離された監視制御信号に係る光信号（波長λｓ２の光信号）を合波し、合波後の監視制御信号に係る光信号を光／電気変換装置４６に出力する。
監視制御信号に係る光信号（波長λｓ１の光信号）と、監視制御信号に係る光信号（波長λｓ２の光信号）は、同一の監視制御を指示する同一内容のデータであるため、一方の光信号が劣化していても、合波後の監視制御信号に係る光信号からは確実に当該データを得ることができる。
光／電気変換装置４６は、波長選択型光合分波装置４５から合波後の監視制御信号に係る光信号を受けると、その光信号を電気信号に変換して監視制御回路５３に出力する。
【００２９】
監視制御回路５３は、光／電気変換装置４６から電気信号に変換された監視制御信号を受けると、その監視制御信号にしたがって中継器３３の状態監視と中継器３３に対する制御を実施する。
監視制御回路５３は、例えば、光ファイバ増幅器４１が上り側伝送路から入力する光信号の強度や、光合分波装置４２が上り側伝送路に出力する光信号の強度等を監視する。
また、監視制御回路５３は、例えば、内部回路の状態を制御して、応答信号の強度等を制御する。
【００３０】
励起ＬＤ駆動回路５４は、監視制御回路５３の監視制御結果を入力し、その監視制御結果を示す応答信号を励起ＬＤ光源部５５に対する励起ＬＤバイアス電流に重畳する。
励起ＬＤ光源部５５は、励起ＬＤ駆動回路５４から出力される励起ＬＤバイアス電流にしたがって光ファイバ増幅器４１，４７の利得及び出力光を制御することにより、上り側伝送路及び下り側伝送路中の主信号に応答信号を重畳させる。
これにより、送受信端局３１には、送受信端局３２から送信された主信号と一緒に応答信号が伝送される。なお、送受信端局３２にも送受信端局３１から送信された主信号と一緒に応答信号が伝送される。
よって、送受信端局３１は、その応答信号を解析することにより、中継器３３の状態を把握することができる。
【００３１】
以上で明らかなように、この実施の形態１によれば、主信号に係る光信号を伝送する波長帯λ１〜λｎの短波長側と長波長側の双方に監視制御信号に係る光信号（波長λｓ１，λｓ２の光信号）が重畳されている場合、その監視制御信号に係る双方の光信号（波長λｓ１，λｓ２の光信号）を抽出して合波するように構成したので、主信号に係る光信号を伝送する波長帯λ１〜λｎの短波長側又は長波長側のいずれか一方の端で伝送特性が劣化しても、中継器３３が正常に監視制御信号に係る光信号を受信することができる効果を奏する。
【００３２】
この実施の形態１では、送受信端局３１が中継器３３の状態監視や制御を行う場合について示したが、送受信端局３２も送受信端局３１と同様にして、中継器３３の状態監視や制御を行うことができる。
この場合、光合分波装置４２、波長選択型光合分波装置４３〜４５及び光／電気変換装置４６の代わりに、光合分波装置４８、波長選択型光合分波装置４９〜５１及び光／電気変換装置５２が動作する。ただし、動作内容は同じである。
【００３３】
また、この実施の形態１では、波長選択型光合分波装置４３が監視制御信号に係る光信号（波長λｓ１の光信号）を分離して、波長選択型光合分波装置４４が監視制御信号に係る光信号（波長λｓ２の光信号）を分離するものについて示したが、波長選択型光合分波装置４３が監視制御信号に係る光信号（波長λｓ２の光信号）を分離して、波長選択型光合分波装置４４が監視制御信号に係る光信号（波長λｓ１の光信号）を分離するようにしてもよい。
【００３４】
実施の形態２．
図２はこの発明の実施の形態２による光通信システムを示す構成図であり、図において、図１と同一符号は同一または相当部分を示すので説明を省略する。
５６は送受信端局３２が主信号に係る光信号を伝送する波長帯λ１〜λｎの短波長側又は長波長側のいずれか一方に監視制御信号に係る光信号（波長λｓ１又はλｓ２の光信号）を重畳する場合、光合分波装置４８により分波された光信号から監視制御信号に係る光信号（波長λｓ１又はλｓ２の光信号）を分離する波長選択型光合分波装置である。
【００３５】
上記実施の形態１では、送受信端局３２も送受信端局３１と同様にして、主信号に係る光信号を伝送する波長帯λ１〜λｎの短波長側と長波長側の双方に監視制御信号に係る光信号（波長λｓ１，λｓ２の光信号）を重畳するものについて示したが、その波長帯λ１〜λｎの短波長側又は長波長側のいずれか一方に監視制御信号に係る光信号（波長λｓ１又はλｓ２の光信号）を重畳するようにしてもよい。
【００３６】
例えば、送受信端局３２が波長帯λ１〜λｎの短波長側に監視制御信号に係る光信号（波長λｓ１の光信号）を重畳しているとき、中継器３３における監視制御信号に係る光信号の受信特性が劣化した場合、もう一方の送受信端局３１から監視制御信号に係る光信号（波長λｓ１の光信号）を送信する。
この場合、上記実施の形態１と比べて冗長性は劣化するが、波長λｓ１又はλｓ２の光信号を分離する波長選択型光合分波装置５６を設置すれば足りるため、装置構成を簡略化することができる。
なお、監視制御装置３４における送受信端局３１側の構成と送受信端局３２側の構成とを逆にして、送受信端局３２が主信号に係る光信号と監視制御信号に係る光信号（波長λｓ１，λｓ２の光信号）を送信するようにしてもよい。
【００３７】
実施の形態３．
上記実施の形態１では、送受信端局３２も送受信端局３１と同様にして、監視制御信号に係る光信号（波長λｓ１，λｓ２の光信号）を送信するものについて示したが、図３に示すように、送受信端局３２については主信号に係る光信号のみを送信するようにしてもよい。
この場合、上記実施の形態１と比べて冗長性は劣化するが、装置構成を簡略化することができる。
なお、監視制御装置３４における送受信端局３１側の構成と送受信端局３２側の構成とを逆にして、送受信端局３２が主信号に係る光信号と監視制御信号に係る光信号（波長λｓ１，λｓ２の光信号）を送信するようにしてもよい。
【００３８】
実施の形態４．
図４はこの発明の実施の形態４による光通信システムを示す構成図であり、図において、図１と同一符号は同一または相当部分を示すので説明を省略する。
５７は第１の分波器である光合分波装置４２により分波された光信号を分波する光合分波装置（第２の分波器）、５８は光合分波装置５７により分波された光信号から監視制御信号に係る光信号（波長λｓ２の光信号）を分離する波長選択型光合分波装置（第２の分離器）、５９は第１の分波器である光合分波装置４８により分波された光信号を分波する光合分波装置（第２の分波器）、６０は光合分波装置５９により分波された光信号から監視制御信号に係る光信号（波長λｓ２の光信号）を分離する波長選択型光合分波装置（第２の分離器）である。
【００３９】
次に動作について説明する。
例えば、送受信端局３１が中継器３３の状態監視や制御を行う場合、送受信端局３２に伝送する主信号を波長帯λ１〜λｎの光信号に変換するとともに、監視制御装置３４に伝送する監視制御信号を波長λｓ１の光信号と波長λｓ２の光信号とに変換し、これらの光信号を波長多重して上り側伝送路に出力する。
ただし、波長λｓ１は、上述したように、波長帯λ１〜λｎの短波長側の波長であり（λｓ１≒λ１）、波長λｓ２は、波長帯λ１〜λｎの長波長側の波長である（λｓ２≒λｎ）。
【００４０】
中継器３３の光ファイバ増幅器４１は、送受信端局３１が光信号を上り側伝送路に出力すると、その伝送路中で減衰した光信号を増幅して光合分波装置４２に出力する。
光合分波装置４２は、光ファイバ増幅器４１から増幅後の光信号を受けると、その光信号を分波する。即ち、大部分の光信号は光合分波装置５７に送信するが、一部の光信号は波長選択型光合分波装置４３に出力する。ただし、どちらの光信号にも主信号に係る光信号（波長帯λ１〜λｎの光信号）と監視制御信号に係る光信号（波長λｓ１，λｓ２の光信号）が含まれている。
【００４１】
光合分波装置５７は、光合分波装置４２により分波された光信号を受けると、その光信号をさらに分波する。即ち、大部分の光信号は送受信端局３２に送信するが、一部の光信号は波長選択型光合分波装置５８に出力する。ただし、どちらの光信号にも主信号に係る光信号（波長帯λ１〜λｎの光信号）と監視制御信号に係る光信号（波長λｓ１，λｓ２の光信号）が含まれている。
【００４２】
波長選択型光合分波装置４３は、光合分波装置４２により分波された光信号を受けると、その光信号に含まれている主信号に係る光信号（波長帯λ１〜λｎの光信号）と監視制御信号に係る光信号（波長λｓ１，λｓ２の光信号）から、その監視制御信号に係る光信号（波長λｓ１の光信号）を分離して波長選択型光合分波装置４５に出力する。
波長選択型光合分波装置５８は、光合分波装置５７により分波された光信号を受けると、その光信号に含まれている主信号に係る光信号（波長帯λ１〜λｎの光信号）と監視制御信号に係る光信号（波長λｓ１，λｓ２の光信号）から、その監視制御信号に係る光信号（波長λｓ２の光信号）を分離して波長選択型光合分波装置４５に出力する。
【００４３】
波長選択型光合分波装置４５は、波長選択型光合分波装置４３により分離された監視制御信号に係る光信号（波長λｓ１の光信号）と波長選択型光合分波装置５８により分離された監視制御信号に係る光信号（波長λｓ２の光信号）を合波し、合波後の監視制御信号に係る光信号を光／電気変換装置４６に出力する。
監視制御信号に係る光信号（波長λｓ１の光信号）と、監視制御信号に係る光信号（波長λｓ２の光信号）は、同一の監視制御を指示する同一内容のデータであるため、一方の光信号が劣化していても、合波後の監視制御信号に係る光信号からは確実に当該データを得ることができる。
光／電気変換装置４６は、波長選択型光合分波装置４５から合波後の監視制御信号に係る光信号を受けると、その光信号を電気信号に変換して監視制御回路５３に出力する。
【００４４】
監視制御回路５３は、光／電気変換装置４６から電気信号に変換された監視制御信号を受けると、その監視制御信号にしたがって中継器３３の状態監視と中継器３３に対する制御を実施する。
監視制御回路５３は、例えば、光ファイバ増幅器４１が上り側伝送路から入力する光信号の強度や、光合分波装置４２が上り側伝送路に出力する光信号の強度等を監視する。
また、監視制御回路５３は、例えば、内部回路の状態を制御して、応答信号の強度等を制御する。
【００４５】
励起ＬＤ駆動回路５４は、監視制御回路５３の監視制御結果を入力し、その監視制御結果を示す応答信号を励起ＬＤ光源部５５に対する励起ＬＤバイアス電流に重畳する。
励起ＬＤ光源部５５は、励起ＬＤ駆動回路５４から出力される励起ＬＤバイアス電流にしたがって光ファイバ増幅器４１，４７の利得及び出力光を制御することにより、上り側伝送路及び下り側伝送路中の主信号に応答信号を重畳させる。
これにより、送受信端局３１には、送受信端局３２から送信された主信号と一緒に応答信号が伝送される。なお、送受信端局３２にも送受信端局３１から送信された主信号と一緒に応答信号が伝送される。
よって、送受信端局３１は、その応答信号を解析することにより、中継器３３の状態を把握することができる。
【００４６】
以上で明らかなように、この実施の形態４によれば、主信号に係る光信号を伝送する波長帯λ１〜λｎの短波長側と長波長側の双方に監視制御信号に係る光信号（波長λｓ１，λｓ２の光信号）が重畳されている場合、その監視制御信号に係る双方の光信号（波長λｓ１，λｓ２の光信号）を抽出して合波するように構成したので、主信号に係る光信号を伝送する波長帯λ１〜λｎの短波長側又は長波長側のいずれか一方の端で伝送特性が劣化しても、中継器３３が正常に監視制御信号に係る光信号を受信することができる効果を奏する。
【００４７】
この実施の形態４では、送受信端局３１が中継器３３の状態監視や制御を行う場合について示したが、送受信端局３２も送受信端局３１と同様にして、中継器３３の状態監視や制御を行うことができる。
この場合、光合分波装置４２，５７、波長選択型光合分波装置４３，５８，４５及び光／電気変換装置４６の代わりに、光合分波装置４８，５９、波長選択型光合分波装置４９，６０，５１及び光／電気変換装置５２が動作する。ただし、動作内容は同じである。
【００４８】
また、この実施の形態４では、波長選択型光合分波装置４３が監視制御信号に係る光信号（波長λｓ１の光信号）を分離して、波長選択型光合分波装置５８が監視制御信号に係る光信号（波長λｓ２の光信号）を分離するものについて示したが、波長選択型光合分波装置４３が監視制御信号に係る光信号（波長λｓ２の光信号）を分離して、波長選択型光合分波装置５８が監視制御信号に係る光信号（波長λｓ１の光信号）を分離するようにしてもよい。
【００４９】
実施の形態５．
上記実施の形態４では、送受信端局３２も送受信端局３１と同様にして、主信号に係る光信号を伝送する波長帯λ１〜λｎの短波長側と長波長側の双方に監視制御信号に係る光信号（波長λｓ１，λｓ２の光信号）を重畳するものについて示したが、図５に示すように、その波長帯λ１〜λｎの短波長側又は長波長側のいずれか一方に監視制御信号に係る光信号（波長λｓ１又はλｓ２の光信号）を重畳するようにしてもよい。
【００５０】
例えば、送受信端局３２が波長帯λ１〜λｎの短波長側に監視制御信号に係る光信号（波長λｓ１の光信号）を重畳しているとき、中継器３３における監視制御信号に係る光信号の受信特性が劣化した場合、もう一方の送受信端局３１から監視制御信号に係る光信号（波長λｓ１の光信号）を送信する。
この場合、上記実施の形態４と比べて冗長性は劣化するが、波長λｓ１又はλｓ２の光信号を分離する波長選択型光合分波装置５６を設置すれば足りるため、装置構成を簡略化することができる。
なお、監視制御装置３４における送受信端局３１側の構成と送受信端局３２側の構成とを逆にして、送受信端局３２が主信号に係る光信号と監視制御信号に係る光信号（波長λｓ１，λｓ２の光信号）を送信するようにしてもよい。
【００５１】
実施の形態６．
上記実施の形態４では、送受信端局３２も送受信端局３１と同様にして、監視制御信号に係る光信号（波長λｓ１，λｓ２の光信号）を送信するものについて示したが、図６に示すように、送受信端局３２については主信号に係る光信号のみを送信するようにしてもよい。
この場合、上記実施の形態４と比べて冗長性は劣化するが、装置構成を簡略化することができる。
なお、監視制御装置３４における送受信端局３１側の構成と送受信端局３２側の構成とを逆にして、送受信端局３２が主信号に係る光信号と監視制御信号に係る光信号（波長λｓ１，λｓ２の光信号）を送信するようにしてもよい。
【００５２】
実施の形態７．
図７はこの発明の実施の形態７による光通信システムを示す構成図であり、図において、図１と同一符号は同一または相当部分を示すので説明を省略する。
６１は上り側伝送路を伝播する光信号を分波する光合分波装置（第１の分波器）、６２は光合分波装置６２により分波された光信号から監視制御信号に係る光信号（波長λｓ１の光信号）を分離する波長選択型光合分波装置（第１の分離器）である。なお、光合分波装置６１及び波長選択型光合分波装置６２から第１の光信号抽出手段が構成されている。
【００５３】
６３は下り側伝送路を伝播する光信号を分波する光合分波装置（第２の分波器）、６４は光合分波装置６３により分波された光信号から監視制御信号に係る光信号（波長λｓ２の光信号）を分離する波長選択型光合分波装置（第２の分離器）である。なお、光合分波装置６３及び波長選択型光合分波装置６４から第２の光信号抽出手段が構成されている。
【００５４】
次に動作について説明する。
例えば、送受信端局３１が中継器３３の状態監視や制御を行う場合、送受信端局３２に伝送する主信号を波長帯λ１〜λｎの光信号に変換するとともに、監視制御装置３４に伝送する監視制御信号を波長λｓ１の光信号に変換し、これらの光信号を波長多重して上り側伝送路に出力する。
ただし、波長λｓ１は、波長帯λ１〜λｎの短波長側の波長である（λｓ１≒λ１）。
【００５５】
中継器３３の光ファイバ増幅器４１は、送受信端局３１が光信号を上り側伝送路に出力すると、その伝送路中で減衰した光信号を増幅して光合分波装置６１に出力する。
光合分波装置６１は、光ファイバ増幅器４１から増幅後の光信号を受けると、その光信号を分波する。即ち、大部分の光信号は送受信端局３２に送信するが、一部の光信号は波長選択型光合分波装置６２に出力する。ただし、どちらの光信号にも主信号に係る光信号（波長帯λ１〜λｎの光信号）と監視制御信号に係る光信号（波長λｓ１の光信号）が含まれている。
【００５６】
波長選択型光合分波装置６２は、光合分波装置６１により分波された光信号を受けると、その光信号に含まれている主信号に係る光信号（波長帯λ１〜λｎの光信号）と監視制御信号に係る光信号（波長λｓ１の光信号）から、その監視制御信号に係る光信号（波長λｓ１の光信号）を分離して光／電気変換装置４６に出力する。
光／電気変換装置４６は、波長選択型光合分波装置６２から監視制御信号に係る光信号を受けると、その光信号を電気信号に変換して監視制御回路５３に出力する。
【００５７】
一方、送受信端局３２が中継器３３の状態監視や制御を行う場合、送受信端局３１に伝送する主信号を波長帯λ１〜λｎの光信号に変換するとともに、監視制御装置３４に伝送する監視制御信号を波長λｓ２の光信号に変換し、これらの光信号を波長多重して下り側伝送路に出力する。
ただし、波長λｓ２は、波長帯λ１〜λｎの長波長側の波長である（λｓ２≒λ１）。
【００５８】
中継器３３の光ファイバ増幅器４７は、送受信端局３２が光信号を下り側伝送路に出力すると、その伝送路中で減衰した光信号を増幅して光合分波装置６３に出力する。
光合分波装置６３は、光ファイバ増幅器４７から増幅後の光信号を受けると、その光信号を分波する。即ち、大部分の光信号は送受信端局３１に送信するが、一部の光信号は波長選択型光合分波装置６４に出力する。ただし、どちらの光信号にも主信号に係る光信号（波長帯λ１〜λｎの光信号）と監視制御信号に係る光信号（波長λｓ２の光信号）が含まれている。
【００５９】
波長選択型光合分波装置６４は、光合分波装置６３により分波された光信号を受けると、その光信号に含まれている主信号に係る光信号（波長帯λ１〜λｎの光信号）と監視制御信号に係る光信号（波長λｓ２の光信号）から、その監視制御信号に係る光信号（波長λｓ２の光信号）を分離して光／電気変換装置５２に出力する。
光／電気変換装置５２は、波長選択型光合分波装置６４から監視制御信号に係る光信号を受けると、その光信号を電気信号に変換して監視制御回路５３に出力する。
【００６０】
監視制御回路５３は、光／電気変換装置４６又は光／電気変換装置５２から電気信号に変換された監視制御信号を受けると、その監視制御信号にしたがって中継器３３の状態監視と中継器３３に対する制御を実施する。
監視制御回路５３は、例えば、光ファイバ増幅器４１が上り側伝送路から入力する光信号の強度や、光合分波装置４２が上り側伝送路に出力する光信号の強度等を監視する。
また、監視制御回路５３は、例えば、内部回路の状態を制御して、応答信号の強度等を制御する。
【００６１】
励起ＬＤ駆動回路５４は、監視制御回路５３の監視制御結果を入力し、その監視制御結果を示す応答信号を励起ＬＤ光源部５５に対する励起ＬＤバイアス電流に重畳する。
励起ＬＤ光源部５５は、励起ＬＤ駆動回路５４から出力される励起ＬＤバイアス電流にしたがって光ファイバ増幅器４１，４７の利得及び出力光を制御することにより、上り側伝送路及び下り側伝送路中の主信号に応答信号を重畳させる。これにより、送受信端局３１には、送受信端局３２から送信された主信号と一緒に応答信号が伝送される。なお、送受信端局３２にも送受信端局３１から送信された主信号と一緒に応答信号が伝送される。
よって、送受信端局３１，３２は、その応答信号を解析することにより、中継器３３の状態を把握することができる。
【００６２】
以上で明らかなように、この実施の形態７によれば、波長選択型光合分波装置６２が主信号に係る光信号を伝送する波長帯の短波長側に重畳されている監視制御信号に係る光信号（波長λｓ１の光信号）を抽出し、波長選択型光合分波装置６４が主信号に係る光信号を伝送する波長帯の長波長側に重畳されている監視制御信号に係る光信号（波長λｓ２の光信号）を抽出するように構成したので、主信号に係る光信号を伝送する波長帯λ１〜λｎの短波長側又は長波長側のいずれか一方の端で伝送特性が劣化しても、中継器３３が信号劣化の生じていない監視制御信号に係る光信号を受信することができる効果を奏する。この場合、波長λｓ１の光信号又は波長λｓ２の光信号のいずれかは信号劣化が生じていない。
【００６３】
この実施の形態７では、主信号に係る光信号を伝送する波長帯λ１〜λｎの短波長側の端で伝送特性の劣化が生じている場合、監視制御装置５３は、送受信端局３２から送信された監視制御信号に係る光信号（波長λｓ２の光信号）にしたがって監視制御を実施する。一方、主信号に係る光信号を伝送する波長帯λ１〜λｎの長波長側の端で伝送特性の劣化が生じている場合、監視制御装置５３は、送受信端局３１から送信された監視制御信号に係る光信号（波長λｓ１の光信号）にしたがって監視制御を実施する。
【００６４】
なお、監視制御装置３４における送受信端局３１側の構成と送受信端局３２側の構成とを逆にして、送受信端局３１が主信号に係る光信号と監視制御信号に係る光信号（波長λｓ２の光信号）を送信し、送受信端局３２が主信号に係る光信号と監視制御信号に係る光信号（波長λｓ１の光信号）を送信するようにしてもよい。
【００６５】
【発明の効果】
以上のように、この発明によれば、主信号に係る光信号を伝送する波長帯の短波長側と長波長側の双方に監視制御信号に係る光信号が重畳されている場合、その監視制御信号に係る双方の光信号を抽出して合波するように構成したので、主信号に係る光信号を伝送する波長帯の短波長側又は長波長側のいずれか一方の端で伝送特性が劣化しても、中継器が正常に監視制御信号に係る光信号を受信することができる効果がある。
【００６６】
この発明によれば、送受信端局から光信号を受信し、その光信号を分波する分波器と、その分波器により分波された光信号から監視制御信号に係る一方の光信号を分離する第１の分離器と、その第１の分離器により分離された一方の光信号以外の光信号から監視制御信号に係る他方の光信号を分離する第２の分離器と、その第１の分離器により分離された一方の光信号と第２の分離器により分離された他方の光信号を合波する合波器とから光信号抽出手段を構成するようにしたので、構成の複雑化を招くことなく、送受信端局から送信された光信号から監視制御信号に係る光信号を抽出することができる効果がある。
【００６７】
この発明によれば、送受信端局から光信号を受信し、その光信号を分波する第１の分波器と、その第１の分波器により分波された光信号を分波する第２の分波器と、その第１の分波器により分波された光信号から監視制御信号に係る一方の光信号を分離する第１の分離器と、その第２の分波器により分波された光信号から監視制御信号に係る他方の光信号を分離する第２の分離器と、その第１の分離器により分離された一方の光信号と第２の分離器により分離された他方の光信号を合波する合波器とから光信号抽出手段を構成するようにしたので、構成の複雑化を招くことなく、送受信端局から送信された光信号から監視制御信号に係る光信号を抽出することができる効果がある。
【００６８】
この発明によれば、第１の光信号抽出手段が主信号に係る光信号を伝送する波長帯の短波長側に重畳されている監視制御信号に係る光信号を抽出し、第２の光信号抽出手段が主信号に係る光信号を伝送する波長帯の長波長側に重畳されている監視制御信号に係る光信号を抽出するように構成したので、主信号に係る光信号を伝送する波長帯の短波長側又は長波長側のいずれか一方の端で伝送特性が劣化しても、中継器が正常に監視制御信号に係る光信号を受信することができる効果がある。
【００６９】
この発明によれば、第１の送受信端局から光信号を受信し、その光信号を分波する第１の分波器と、その第１の分波器により分波された光信号から監視制御信号に係る光信号を分離する第１の分離器とから第１の光信号抽出手段を構成し、第２の送受信端局から光信号を受信し、その光信号を分波する第２の分波器と、その第２の分波器により分波された光信号から監視制御信号に係る光信号を分離する第２の分離器とから第２の光信号抽出手段を構成するようにしたので、構成の複雑化を招くことなく、送受信端局から送信された光信号から監視制御信号に係る光信号を抽出することができる効果がある。
【００７０】
この発明によれば、送受信端局が主信号に係る光信号を伝送する波長帯の短波長側と長波長側の双方に監視制御信号に係る光信号を重畳し、中継器の監視制御装置が短波長側と長波長側に重畳されている監視制御信号に係る双方の光信号を抽出して合波するように構成したので、主信号に係る光信号を伝送する波長帯の短波長側又は長波長側のいずれか一方の端で伝送特性が劣化しても、中継器が正常に監視制御信号に係る光信号を受信することができる効果がある。
【００７１】
この発明によれば、第１の送受信端局が主信号に係る光信号を伝送する波長帯の短波長側に監視制御信号に係る光信号を重畳する一方、第２の送受信端局が主信号に係る光信号を伝送する波長帯の長波長側に監視制御信号に係る光信号を重畳し、中継器の監視制御装置が短波長側に重畳されている監視制御信号に係る光信号を抽出するとともに、長波長側に重畳されている監視制御信号に係る光信号を抽出するように構成したので、主信号に係る光信号を伝送する波長帯の短波長側又は長波長側のいずれか一方の端で伝送特性が劣化しても、中継器が正常に監視制御信号に係る光信号を受信することができる効果がある。
【図面の簡単な説明】
【図１】この発明の実施の形態１による光通信システムを示す構成図である。
【図２】この発明の実施の形態２による光通信システムを示す構成図である。
【図３】この発明の実施の形態３による光通信システムを示す構成図である。
【図４】この発明の実施の形態４による光通信システムを示す構成図である。
【図５】この発明の実施の形態５による光通信システムを示す構成図である。
【図６】この発明の実施の形態６による光通信システムを示す構成図である。
【図７】この発明の実施の形態７による光通信システムを示す構成図である。
【図８】従来の光通信システムを示す構成図である。
【符号の説明】
３１　送受信端局、３２　送受信端局、３３　中継器、３４　監視制御装置、４１　光ファイバ増幅器、４２　光合分波装置（分波器、第１の分波器、光信号抽出手段）、４３　波長選択型光合分波装置（第１の分離器、光信号抽出手段）、４４　波長選択型光合分波装置（第２の分離器、光信号抽出手段）、４５　波長選択型光合分波装置（合波器、光信号抽出手段）、４６　光／電気変換装置（監視制御手段）、４７　光ファイバ増幅器、４８　光合分波装置（分波器、第１の分波器、光信号抽出手段）、４９　波長選択型光合分波装置（第１の分離器、光信号抽出手段）、５０　波長選択型光合分波装置（第２の分離器、光信号抽出手段）、５１　波長選択型光合分波装置（合波器、光信号抽出手段）、５２　光／電気変換装置（監視制御手段）、５３　監視制御回路（監視制御手段）、５４励起ＬＤ駆動回路（応答手段）、５５　励起ＬＤ光源部（応答手段）、５６　波長選択型光合分波装置、５７　光合分波装置（第２の分波器）、５８　波長選択型光合分波装置（第２の分離器）、５９　光合分波装置（第２の分波器）、６０　波長選択型光合分波装置（第２の分離器）、６１　光合分波装置（第１の分波器、第１の光信号抽出手段）、６２　波長選択型光合分波装置（第１の分離器、第１の光信号抽出手段）、６３　光合分波装置（第２の分波器、第２の光信号抽出手段）、６４　波長選択型光合分波装置（第２の分離器、第２の光信号抽出手段）。
【図１】
2004088472.tif 000003
【図２】
2004088472.tif 000004
【図３】
2004088472.tif 000005
【図４】
2004088472.tif 000006
【図５】
2004088472.tif 000007
【図６】
2004088472.tif 000008
【図７】
2004088472.tif 000009
【図８】
2004088472.tif 000010